(57)【特許請求の範囲】
【請求項１】
屋根の一方の側端部、及び前記屋根の他方の側端部に取り付けられる化粧部材と、前記屋根の一方の側端部に取り付けられる前記化粧部材の上端と前記屋根の他方の側端部に取り付けられる前記化粧部材の上端とを連結する棟部材と、前記屋根の一方の側端部に取り付けられる前記化粧部材の下端と前記屋根の他方の側端部に取り付けられる前記化粧部材の下端とを連結する軒部材とで形成される矩形の枠部と、
前記枠部の内側に配置される複数枚の太陽光モジュールと、
前記化粧部材に設けられ、前記太陽光モジュールの側端部に係合して前記太陽光モジュールの位置決めを行う位置決め部と、
前記屋根の一方の側端部に取り付けられる前記化粧部材の前記位置決め部に設けられる第１の係合部と、
前記屋根の他方の側端部に取り付けられる前記化粧部材の前記位置決め部に設けられる第１の被係合部と、
前記太陽光モジュールの一方の側部に設けられ、前記第１の係合部と嵌合可能な第２の被係合部と、
前記太陽光モジュールの他方の側部に設けられ、前記第１の被係合部、及び前記第２の被係合部と嵌合可能な第２の係合部と、
を有する、屋根構造。
【請求項２】
屋根の一方の側端部、及び前記屋根の他方の側端部に取り付けられる化粧部材と、前記屋根の一方の側端部に取り付けられる前記化粧部材の上端と前記屋根の他方の側端部に取り付けられる前記化粧部材の上端とを連結する棟部材と、前記屋根の一方の側端部に取り付けられる前記化粧部材の下端と前記屋根の他方の側端部に取り付けられる前記化粧部材の下端とを連結する軒部材とで形成される矩形の枠部と、
前記枠部の内側に配置される複数枚の太陽光モジュールと、
前記化粧部材に設けられ、前記太陽光モジュールの側端部に係合して前記太陽光モジュールの位置決めを行う位置決め部と、
前記屋根の軒を構成する１乃至複数の軒モジュールと、
を備え、
前記化粧部材は、建物の外壁よりも外側へ突出するように設けられ、
前記外壁よりも外側へ突出した前記化粧部材の前記位置決め部は、前記軒モジュールの側端部に係合して前記軒モジュールの位置決めを行う、屋根構造。
【請求項３】
前記化粧部材の内部に、前記太陽光モジュールで生成された電力を輸送するための配線を通す配線通路が形成されている、請求項１または請求項２に記載の屋根構造。
【請求項４】
前記化粧部材には、雨水を流す雨水経路が設けられている、請求項１〜請求項３の何れか１項に記載の屋根構造。
【請求項５】
前記屋根に設けられるトップライトモジュール、及び前記トップライトモジュールの上部に配置され前記太陽光モジュールと連結されるルーバーモジュールを備え、
前記屋根の一方の側端部に取り付けられる前記化粧部材の前記位置決め部は、第１の係合部を備え、
前記屋根の他方の側端部に取り付けられる前記化粧部材の前記位置決め部は、第１の被係合部を備え、
前記太陽光モジュールの一方の側部は、前記第１の係合部と嵌合可能な第２の被係合部を備え、
前記太陽光モジュールの他方の側部は、前記第１の被係合部、及び前記第２の被係合部と嵌合可能な第２の係合部を備え、
前記ルーバーモジュールの一方の側部は、前記第２の係合部と嵌合可能な第４の被係合部を備え、
前記ルーバーモジュールの他方の側部は、前記第４の被係合部、及び前記第２の被係合部に係合可能な第４の係合部を備えている、請求項１〜請求項４の何れか１項に記載の屋根構造。
【請求項６】
前記屋根の一方の側端部に取り付けられる前記化粧部材の前記位置決め部は、第１の係合部を備え、
前記屋根の他方の側端部に取り付けられる前記化粧部材の前記位置決め部は、第１の被係合部を備え、
前記軒モジュールの一方の側部は、前記第１の係合部と嵌合可能な第３の被係合部を備え、
前記軒モジュールの他方の側部は、前記第３の被係合部、及び前記第１の被係合部に係合可能な第３の係合部を備えている、請求項２に記載の屋根構造。
【請求項７】
前記軒モジュールには、角度を変更可能な軒ルーバーが設けられている、請求項２または請求項６に記載の屋根構造。
【請求項８】
日射量を計測する日射量センサと、
前記日射量センサで検出された日射量に応じて前記軒ルーバーの角度を変更する第１駆動手段と、
を有する、請求項７に記載の屋根構造。
【請求項９】
前記軒には、前記太陽光モジュールで発電された電力を取り出すための給電部が設けられている、請求項２、請求項６、請求項７、及び請求項８の何れか１項に記載の屋根構造。
【発明の詳細な説明】
【技術分野】
【０００１】
本発明は、建物の屋根構造に関し、屋根上部に複数枚の太陽光モジュールが配置された屋根構造に関する。
【背景技術】
【０００２】
近年、住宅等の建物において、省エネを図るため、複数枚の太陽光モジュール（太陽光パネル、太陽電池パネル等とも呼ばれる）を連結することで構成される太陽光モジュールアレイを屋根に配置することが行われている（例えば、特許文献１参照。）。
【先行技術文献】
【特許文献】
【０００３】
【特許文献１】特開平１１―２３６７５３号公報。
【発明の概要】
【発明が解決しようとする課題】
【０００４】
特許文献１に開示の建物では、屋根面に組まれたフレームに太陽光モジュールを嵌め込んで太陽光モジュールアレイを構成しているが、屋根側部の破風カバーと、太陽光モジュールアレイの側部との間に隙間が生じているため、太陽光モジュールと屋根との一体感が損なわれており、意匠性に改善の余地がある。
【０００５】
本発明は上記事実を考慮し、省エネを図りつつ、屋根の意匠性を向上せることのできる屋根構造の提供を目的とする。
さらに、室内の日射量も調整可能として、さらなる省エネを図ることを第２の目的としている。
【課題を解決するための手段】
【０００６】
請求項１に記載の屋根構造は、屋根の一方の側端部、及び前記屋根の他方の側端部に取り付けられる化粧部材と、前記屋根の一方の側端部に取り付けられる前記化粧部材の上端と前記屋根の他方の側端部に取り付けられる前記化粧部材の上端とを連結する棟部材と、前記屋根の一方の側端部に取り付けられる前記化粧部材の下端と前記屋根の他方の側端部に取り付けられる前記化粧部材の下端とを連結する軒部材とで形成される矩形の枠部と、前記枠部の内側に配置される複数枚の太陽光モジュールと、前記化粧部材に設けられ、前記太陽光モジュールの側端部に係合して前記太陽光モジュールの位置決めを行う位置決め部と、前記屋根の一方の側端部に取り付けられる前記化粧部材の前記位置決め部に設けられる第１の係合部と、前記屋根の他方の側端部に取り付けられる前記化粧部材の前記位置決め部に設けられる第１の被係合部と、前記太陽光モジュールの一方の側部に設けられ、前記第１の係合部と嵌合可能な第２の被係合部と、前記太陽光モジュールの他方の側部に設けられ、前記第１の被係合部、及び前記第２の被係合部と嵌合可能な第２の係合部と、
を有する。
【０００７】
次に、請求項１に記載の屋根構造の作用を説明する。
請求項１に記載の屋根構造では、複数枚の太陽光モジュールが屋根に配置されているので、建物で使用する電力の一部を太陽光モジュールによって発電された電力で賄う事ができ、省エネを図ることができる。
請求項１に記載の屋根構造では、矩形に形成された枠部の内側に複数枚の太陽光モジュールを配置したので、屋根の側縁部に取り付けられた化粧部材に太陽光モジュールを接触させることで、複数の太陽光モジュールを化粧部材に沿って位置決めしつつ配置することができる。
また、請求項１に記載の屋根構造では、軒部材に太陽光モジュールを接触させることで複数の太陽光モジュールを軒部材に沿って位置決めしつつ配置することができ、棟部材に太陽光モジュールを接触させることで複数の太陽光モジュールを棟部材に沿って位置決めしつつ配置することができる。
このように、枠部の内側に隙間を開ける事無く太陽光モジュールを配置することができるので、大きな発電量が得られ、かつ屋根の意匠性を向上させることができる。
太陽光モジュールは、屋根の側縁部に取り付けられた化粧部材の位置決め部に側端部が係合されることで化粧部材に対する位置決めが行われ、化粧部材との間に隙間を開ける事無く太陽光モジュールを配置することができ、太陽光モジュールの側端部を化粧部材で隠すことができるので、屋根の意匠性を向上させることができる。
屋根の一方の側端部に取り付けられる化粧部材の位置決め部に設けられている第１の係合部に対して、太陽光モジュールの一方の側部に設けられている第２の被係合部を嵌合することで、屋根の一方の側端部に取り付けられる化粧部材に対して、太陽光モジュールの決めを行うことが出来ると共に、太陽光モジュールと化粧部材とを隙間無く連結することができる。
一方、屋根の他方の側端部に取り付けられる化粧部材の位置決め部に設けられている第１の被係合部に対して、太陽光モジュールの他方の側部に設けられている第２の係合部を係合することで、屋根の他方の側端部に取り付けられる化粧部材に対して、太陽光モジュールの決めを行うことが出来ると共に、太陽光モジュールと化粧部材とを隙間無く連結することができる。
さらに、互いに隣接する一方の太陽光モジュールの一方の側部に設けられている第２の被係合部に、他方の太陽光モジュールの他方の側部に設けられている第２の係合部を係合することで、一方の化粧部材と他方の化粧部材との間で、複数枚の太陽光モジュールを隙間無く連結することができる。
請求項２に記載の屋根構造は、屋根の一方の側端部、及び前記屋根の他方の側端部に取り付けられる化粧部材と、前記屋根の一方の側端部に取り付けられる前記化粧部材の上端と前記屋根の他方の側端部に取り付けられる前記化粧部材の上端とを連結する棟部材と、前記屋根の一方の側端部に取り付けられる前記化粧部材の下端と前記屋根の他方の側端部に取り付けられる前記化粧部材の下端とを連結する軒部材とで形成される矩形の枠部と、前記枠部の内側に配置される複数枚の太陽光モジュールと、前記化粧部材に設けられ、前記太陽光モジュールの側端部に係合して前記太陽光モジュールの位置決めを行う位置決め部と、前記屋根の軒を構成する１乃至複数の軒モジュールと、を備え、前記化粧部材は、建物の外壁よりも外側へ突出するように設けられ、前記外壁よりも外側へ突出した前記化粧部材の前記位置決め部は、前記軒モジュールの側端部に係合して前記軒モジュールの位置決めを行う。
次に、請求項２に記載の屋根構造の作用を説明する。
請求項２に記載の屋根構造では、複数枚の太陽光モジュールが屋根に配置されているので、建物で使用する電力の一部を太陽光モジュールによって発電された電力で賄う事ができ、省エネを図ることができる。請求項２に記載の屋根構造では、矩形に形成された枠部の内側に複数枚の太陽光モジュールを配置したので、屋根の側縁部に取り付けられた化粧部材に太陽光モジュールを接触させることで、複数の太陽光モジュールを化粧部材に沿って位置決めしつつ配置することができる。また、請求項２に記載の屋根構造では、軒部材に太陽光モジュールを接触させることで複数の太陽光モジュールを軒部材に沿って位置決めしつつ配置することができ、棟部材に太陽光モジュールを接触させることで複数の太陽光モジュールを棟部材に沿って位置決めしつつ配置することができる。このように、枠部の内側に隙間を開ける事無く太陽光モジュールを配置することができるので、大きな発電量が得られ、かつ屋根の意匠性を向上させることができる。軒モジュールは、建物の外壁よりも外側に突出した化粧部材に設けられた位置決め部に側端部が係合して位置決めされる。したがって、軒モジュールと化粧部材との間に隙間を開ける事無く軒モジュールを配置することができ、また、軒モジュールの側端部を化粧部材で隠すことができるので、軒を有する場合にも、屋根の意匠性を向上させることができる。
【００１１】
請求項３に記載の発明は、請求項１または請求項２に記載の屋根構造において、前記化粧部材の内部に、前記太陽光モジュールで生成された電力を輸送するための配線を通す配線通路が形成されている。
【００１２】
次に、請求項３に記載の屋根構造の作用を説明する。
請求項３に記載の屋根構造では、太陽光モジュールで生成された電力を輸送するための配線が、化粧部材の内部に設けられた配線通路に通される。
配線を化粧部材の内部に設けられた配線通路に通すことで、配線が太陽光、雨水等から守られ、配線の劣化が抑えられる。
【００１３】
また、耐候性、防水性に優れた高価な配線や、配線を保護するパイプ等の保護部材を必要としないので、コスト低減、部品点数の低減にも繋がる。
さらに、化粧部材の内部に設けられた配線通路に配線を通すことで、化粧部材に隣接する太陽光モジュールと該配線とを最短距離で接続することが可能となる。
【００１４】
請求項４に記載の発明は、請求項１〜請求項３の何れか１項に記載の屋根構造において、前記化粧部材には、雨水を流す雨水経路が設けられている。
【００１５】
次に、請求項４に記載の屋根構造の作用を説明する。
請求項４に記載の屋根構造では、屋根の側端部に取り付けられる化粧部材に設けられた雨水経路を介して雨水を排水することができる。例えば、化粧部材の上に付着した雨水を雨水経路を介して排水することで、屋根の側端部から妻方向外側へ雨水を落下させることを防止することができる。
【００１６】
また、化粧部材に雨水経路が設けられているため、屋根面の雨水を屋根の側端部から妻方向外側へ落下させることを防止するため、化粧部材に対して別部材で形成した雨水経路を設ける必要が無く、部品点数の削減となる。
【００２３】
請求項５に記載の発明は、請求項１〜請求項４の何れか１項に記載の屋根構造において、前記屋根の一方の側端部に取り付けられる前記化粧部材の前記位置決め部は、第１の係合部を備え、前記屋根の他方の側端部に取り付けられる前記化粧部材の前記位置決め部は、第１の被係合部を備え、前記太陽光モジュールの一方の側部は、前記第１の係合部と嵌合可能な第２の被係合部を備え、前記太陽光モジュールの他方の側部は、前記第１の被係合部、及び前記第２の被係合部と嵌合可能な第２の係合部を備え、前記ルーバーモジュールの一方の側部は、前記第２の係合部と嵌合可能な第４の被係合部を備え、前記ルーバーモジュールの他方の側部は、前記第４の被係合部、及び前記第２の被係合部に係合可能な第４の係合部を備えている。
【００２４】
次に、請求項５に記載の屋根構造の作用を説明する。
屋根の一方の側端部に取り付けられる化粧部材の位置決め部に備えられている第１の係合部に対して、太陽光モジュールの一方の側部に備えられている第２の被係合部を嵌合することで、屋根の一方の側端部に取り付けられる化粧部材に対して、太陽光モジュールの決めを行うことが出来ると共に、太陽光モジュールと化粧部材とを隙間無く連結することができる。
【００２５】
一方、屋根の他方の側端部に取り付けられる化粧部材の位置決め部に備えられている第１の被係合部に対して、太陽光モジュールの他方の側部に備えられている第２の係合部を嵌合することで、屋根の他方の側端部に取り付けられる化粧部材に対して、太陽光モジュールの決めを行うことが出来ると共に、太陽光モジュールと化粧部材とを隙間無く連結することができる。
【００２６】
さらに、ルーバーモジュールの一方の側部は、太陽光モジュールの第２の係合部と嵌合可能な第４の被係合部を備え、ルーバーモジュールの他方の側部は、第４の被係合部、及び太陽光モジュールの第２の被係合部に係合可能な第４の係合部を備えているので、一方のルーバーモジュールの第４の被係合部と他方のルーバーモジュールの第４の係合部とを連結することで一方のルーバーモジュールと他方のルーバーモジュールとを隙間無く連結することができ、また、一方のルーバーモジュール第４の被係合部と太陽光モジュールの第２の係合部とを連結、または一方のルーバーモジュール第４の係合部と太陽光モジュールの第２の被係合部とを連結することでルーバーモジュールと太陽光モジュールとを隙間無く連結することができる。
【００２７】
また、屋根の一方の側端部に取り付けられる化粧部材の位置決め部に備えられている第１の係合部に対して、ルーバーモジュールの一方の側部に備えられている第４の被係合部を嵌合することで、屋根の一方の側端部に取り付けられる化粧部材に対して、ルーバーモジュールの決めを行いつつ、ルーバーモジュールと化粧部材とを隙間無く連結することができる。また、屋根の他方の側端部に取り付けられる化粧部材の位置決め部に備えられている第１の被係合部に対して、ルーバーモジュールの他方の側部に備えられている第４の係合部を嵌合することで、屋根の他方の側端部に取り付けられる化粧部材に対して、ルーバーモジュールの決めを行いつつ、ルーバーモジュールと化粧部材とを隙間無く連結することができる。
【００２８】
請求項６に記載の発明は、請求項２に記載の屋根構造において、前記屋根の一方の側端部に取り付けられる前記化粧部材の前記位置決め部は、第１の係合部を備え、前記屋根の他方の側端部に取り付けられる前記化粧部材の前記位置決め部は、第１の被係合部を備え、前記軒モジュールの一方の側部は、前記第１の係合部と嵌合可能な第３の被係合部を備え、前記軒モジュールの他方の側部は、前記第３の被係合部、及び前記第１の被係合部に係合可能な第３の係合部を備えている。
【００２９】
次に、請求項６に記載の屋根構造の作用を説明する。
屋根の一方の側端部に取り付けられる化粧部材の位置決め部に備えられている第１の係合部に対して、軒モジュールの一方の側部に備えられている第３の被係合部を嵌合することで、屋根の一方の側端部に取り付けられる化粧部材に対して、軒モジュールの決めを行うことが出来る。
【００３０】
また、屋根の他方の側端部に取り付けられる化粧部材の位置決め部に備えられている第１の被係合部に対して、軒モジュールの他方の側部に備えられている第３の係合部を嵌合することで、屋根の他方の側端部に取り付けられる化粧部材に対して、軒モジュールの決めを行うことが出来る。
【００３１】
さらに、互いに隣接する一方の軒モジュールの一方の側部に備えられている第３の被係合部に、他方の軒モジュールの他方の側部に設けられている第３の係合部を嵌合することで、一方の化粧部材と他方の化粧部材との間で、複数枚の軒モジュールを隙間無く連結することができる。
【００３２】
請求項７に記載の発明は、請求項２または請求項６に記載の屋根構造において、前記軒モジュールには、角度を変更可能な軒ルーバーが設けられている。
【００３３】
次に、請求項７に記載の屋根構造の作用を説明する。
請求項７に記載の屋根構造では、軒が軒モジュールによって構成され、その軒モジュールには、角度を変更可能な軒ルーバーが設けられているので、軒ルーバーの角度を変更することで、室内の日射量を調整したり軒直下への雨がかりを防止することができる。
例えば、夏期には、室内に太陽光が入り込まないように軒ルーバーの角度を調整することで室温の上昇が防止される。このため、冷房に使用するエネルギーを節約でき、省エネとなる。
【００３４】
一方、冬季には、室内に太陽光が入り込むように軒ルーバーの角度を調整することで室温の上昇を図ることができる。このため、暖房に使用するエネルギーを節約でき、場合によっては暖房をしなくても済むようになり、省エネとなる。
【００３５】
また、例えば、軒ルーバーが鉛直方向に向けられていると、雨天時に、軒ルーバーと軒ルーバーとの間から雨滴が軒直下へ落下することになるが、軒ルーバー同士が重なり合うように軒ルーバーの角度を調整することで、軒ルーバー上の雨水を順次下方の軒ルーバーへと流して、軒直下へ雨水が落下しないようにでき、例えば、軒直下のベランダ、テラス、洗濯物等が雨水で濡れることを防止できる。
【００３６】
請求項８に記載の発明は、請求項７に記載の屋根構造において、日射量を計測する日射量センサと、前記日射量検出センサで検出された日射量に応じて前記軒ルーバーの角度を変更する第１駆動手段とを有する。
【００３７】
次に、請求項８に記載の屋根構造の作用を説明する。
請求項８に記載の屋根構造では、日射量センサで日射量が計測され、第１駆動手段は日射量検出センサで検出された日射量に応じて軒ルーバーの角度を変更する。即ち、軒ルーバーの角度が日射量に応じて自動で変更されるので、人手で軒ルーバーの角度を調整する必要が無く、軒ルーバーの角度を変更する手間が掛からない。
【００３８】
請求項９に記載の発明は、請求項２、請求項６、請求項７、及び請求項８の何れか１項に記載の屋根構造において、前記軒には、前記太陽光モジュールで発電された電力を取り出すための給電部が設けられている。
【００３９】
次に、請求項９に記載の屋根構造の作用を説明する。
請求項９に記載の屋根構造では、軒に設けられた給電部から、太陽光モジュールで発電された電力を取り出すことができる。
例えば、軒の下側を車庫として利用する場合、太陽光モジュールで発電された電力を車庫に置いた自動車のバッテリーの充電に利用することが出来る。
【発明の効果】
【００４０】
以上説明したように、請求項１に記載の屋根構造は上記の構成としたので、軒部材、及び軒部材に沿って太陽光モジュールを位置決めしつつ配置することができ、屋根の意匠性を向上することができる。また、太陽光モジュールで得た電力を利用して省エネを図りつつ、屋根の意匠性を向上させることができる。さらに、太陽光モジュールと化粧部材とを隙間無く連結することができ、また、一方の化粧部材と他方の化粧部材との間で、複数枚の太陽光モジュールを隙間無く連結することができ、屋根の意匠性をさらに向上させることができる。
【００４１】
請求項２に記載の屋根構造は上記の構成としたので、軒部材、及び軒部材に沿って太陽光モジュールを位置決めしつつ配置することができ、屋根の意匠性を向上することができる。また、太陽光モジュールで得た電力を利用して省エネを図りつつ、屋根の意匠性を向上させることができる。さらに、軒を有する場合にも、屋根の意匠性を向上させることができる。
【００４２】
請求項３に記載の屋根構造は上記の構成としたので、太陽光モジュールの配線の劣化が抑えられる。耐候性、防水性に優れた高価な配線や、配線を保護するパイプ等の部材を必要としないので、コスト低減、部品点数の低減にも繋がる。さらに、化粧部材に隣接する太陽光モジュールと配線とを最短距離で接続することができる。
【００４３】
請求項４に記載の屋根構造は上記の構成としたので、屋根面の雨水を屋根の側端部から妻方向外側へ落下させることを防止することができる。
【００４６】
請求項５に記載の屋根構造は上記の構成としたので、ルーバーモジュールを備えた屋根の意匠性を向上させることができる。
【００４７】
請求項６に記載の屋根構造は上記の構成としたので、一方の化粧部材と他方の化粧部材との間で、複数枚の軒モジュールを隙間無く連結することができ、軒を備えた屋根の意匠性を向上させることができる。
【００４８】
請求項７に記載の屋根構造は上記の構成としたので、軒ルーバーの角度を変更することで室内の日射量を調整して省エネを図ることができる。また、雨天時には、軒直下へ雨水が落下しないようにでき、例えば、軒直下のベランダ、テラス、洗濯物等が雨水で濡れることを防止できる。
【００４９】
請求項８に記載の屋根構造は上記の構成としたので、軒ルーバーの角度が日射量に応じて自動で変更され、軒ルーバーの角度を変更する手間が掛からない。
【００５０】
請求項９に記載の屋根構造は上記の構成としたので、太陽光モジュールで発電された電力を軒に設けられた給電部から取り出して利用できる。例えば、軒の下側を車庫として利用する場合、太陽光モジュールで発電された電力を車庫に置いた自動車のバッテリーの充電に利用することができ、電力会社から購入する電力（商用電源）の使用量を減らすことが可能となるので、省エネとなる。
【図面の簡単な説明】
【００５１】
【図１】本発明の屋根構造が適用された建建物の屋根の斜視図である。
【図２】図１に示す屋根の２−２線断面図（桁方向に沿った縦断面）である。
【図３】太陽光モジュールの斜視図である。
【図４】屋根の軒先側を示す妻方向に沿った縦断面図である。
【図５】ルーバーモジュールの斜視図である。
【図６】軒モジュールの斜視図である。
【図７】ルーバーの制御を行う電気系のブロック図である。
【図８】（Ａ）は軒ルーバーを閉じた状態を示す建物の断面図であり、（Ｂ）は軒ルーバーを開いて太陽光を室内に取り入れている状態を示す建物の断面図である。
【図９】他の実施形態に係る第１の破風カバー、及び第２の破風カバーの斜視図である。
【図１０】他の実施形態に係る屋根の軒先部分の斜視図である。
【図１１】図１０に示す軒先部分の断面図である。
【発明を実施するための形態】
【００５２】
以下、図１〜図８を用いて、本発明に係る屋根構造が適用された屋根を備えた建物の実施形態について説明する。
図１には、本実施形態に係る建物１０の屋根１２の全体構成が示されており、図２には建物１０の上部の桁方向に沿った縦断面図が示されている。
本実施形態の屋根１２はいわゆる切妻屋根である。
【００５３】
建物１０の基本構成は従来一般のものと同様の構成であるため詳細な説明は省略する。因みに、図２中、符合１４は天井材、符合１６，１８は桟、符合２０は内壁材、符合２２は外壁材、符合２４は断熱材、符合２６は鋼材からなるフレーム、符合２８は野地板、符合３０は破風板、符合３２は軒天板である。また、各図面において、矢印Ａは桁方向、矢印Ｂは妻方向を示している。
【００５４】
（屋根構造）
以下に、本実施形態の屋根１２の構造について詳細に説明する。
本実施形態の屋根１２は、一方の妻側端部に化粧部材としての第１の破風カバー３４が取り付けられており、他方の妻側端部に化粧部材としての第２の破風カバー３６が取り付けられている。
【００５５】
図２に示すように、第１の破風カバー３４、及び第２の破風カバー３６は、破風板３０の外側部に図示しない螺子等で取り付けられている。
図４に示すように、野地板２８の下縁は外壁６２の上側に位置しているが、破風板３０、第１の破風カバー３４、及び第２の破風カバー３６は、軒３９を構成するための後述する軒モジュール６４を位置決めするために外壁６２よりも外側（桁側）へ突出している。
なお、これら第１の破風カバー３４、及び第２の破風カバー３６は、合成樹脂、金属等で形成することができる。
【００５６】
図１に示すように、屋根１２の最上部には、第１の破風カバー３４の上端と第２の破風カバー３６の上端とを連結する棟部材３７が取り付けられている。
なお、野地板２８の上面には、防水シート等（図示せず）が敷設されている。防水シートの上には、スレート、瓦等の屋根材（図示省略）が葺設されていても良い。また、防水シートの上には、後述する太陽光モジュール４６を下側から支持するモジュール支持フレーム３８が取り付けられている。
モジュール支持フレーム３８は、棟部材３７と平行に配置される複数の横桟３８Ａと、棟部材３７と直交する方向に配置される複数の縦桟３８Ｂとで格子状に形成されている。
なお、横桟３８Ａ、及び縦桟３８Ｂは、本実施形態では、断面Ｃ字形状のＣ型鋼を用いているが、山形鋼、Ｈ鋼、角型鋼管等、他の鋼材を用いても良く、材質は鉄に限らず、アルミニューム等で良い。  
【００５７】
また、野地板２８の上面には、モジュール支持フレーム３８の下端側に、第１の破風カバー３４と第２の破風カバー３６とを連結する仕切り部材４０が棟部材３７と平行に取り付けられている。
【００５８】
図２に示すように、第１の破風カバー３４は、野地板２８の上面よりも上方に突出している上カバー部３４Ａと、上カバー部３４Ａの下側に配置されて上カバー部３４Ａとは図示しない螺子等で連結される下カバー部３４Ｂとから構成されている。
第２の破風カバー３６は、野地板２８の上面よりも上方に突出している上カバー部３６Ａと、上カバー部３６Ａの下側に配置されて上カバー部３６Ａとは図示しない螺子等で連結される下カバー部３６Ｂとから構成されている。
【００５９】
本実施形態の第１の破風カバー３４の下カバー部３４Ｂと、第２の破風カバー３６の下カバー部３６Ｂとは、同一断面形状であり、同一の角パイプから形成することができる。なお、下カバー部３４Ｂの下端、及び下カバー部３６Ｂの下端は、各々図示しない矩形の板材で塞がれている。
【００６０】
第１の破風カバー３４の上カバー部３４Ａ、及び第２の破風カバー３６の上カバー部３６Ａは、全体的には共に角パイプ形状とされているが、断面形状が一部分異なっている。
上カバー部３４Ａの屋根内側の側部には、カバー長手方向に沿って延びる溝４２が上寄りに形成されている。
一方、上カバー部３６Ａの屋根内側の側部には、カバー長手方向に沿って延びるリブ４４が上寄りに形成されている。
この溝４２とリブ４４とは互いに嵌合可能な寸法に形成されている。
【００６１】
なお、第１の破風カバー３４の上カバー部３４Ａ及び下カバー部３４Ｂ、第２の破風カバー３６の上カバー部３６Ａ及び下カバー部３６Ｂの中空の内部は、後述する太陽光モジュール４６の太陽電池パネル５２に接続される配線４５を通す配線通路として利用される。
【００６２】
（太陽光モジュール）
図１に示すように、第１の破風カバー３４、第２の破風カバー３６、棟部材３７、及び仕切り部材４０で形成される矩形の枠４９内には、複数枚の太陽光モジュール４６、及びルーバーモジュール５６がマトリクス状に配置されている。なお、図１において、屋根１２の北側（矢印Ｓ方向とは反対側）の斜面においては、太陽光モジュール４６の図示を省略している。
これら太陽光モジュール４６、及びルーバーモジュール５６は、モジュール支持フレーム３８に搭載され、モジュール支持フレーム３８によって下面側から支持されている。
なお、このように複数枚の太陽光モジュール４６を連結したものは、一般に太陽光モジュールアレイ等と呼ばれている。
【００６３】
図３に示すように、太陽光モジュール４６は、外周部に矩形の枠フレーム５０を備え、枠フレーム５０の内側に太陽電池パネル５２が配置されている。また、図示はしないが、太陽電池パネル５２の表面は透明なカバーで覆われている。
枠フレーム５０の一方側の側部にはリブ５０Ａが形成されており、他方側の側部にはリブ５０Ａと嵌合可能な溝５０Ｂが形成されている。
【００６４】
さらに、このリブ５０Ａは上カバー部３４Ａの溝４２と嵌合可能に形成されており、溝５０Ｂは上カバー部３６Ａのリブ４４と嵌合可能に形成されている。
なお、各太陽光モジュール４６は、平面視で矩形状であり、かつサイズ（縦寸法Ｂ１（棟部材３７に対して直交方向の寸法）、リブ４４を除く横寸法Ａ１（棟部材３７に対して平行な方向の寸法）、及び高さ寸法Ｃ１）が全て同一である。
【００６５】
図２に示すように、上カバー部３４Ａの溝４２に対し、隣接して配置される太陽光モジュール４６のリブ５０Ａが嵌合することで、第１の破風カバー３４に隣接して配置される太陽光モジュール４６が位置決めされると共に、隙間無く連結される。
【００６６】
また、第１の破風カバー３４とは反対側に配置される第２の破風カバー３６の上カバー部３６Ａに形成されたリブ４４に対し、隣接して配置される太陽光モジュール４６の溝５０Ｂが嵌合することで、第２の破風カバー３６に隣接して配置される太陽光モジュール４６が位置決めされると共に、隙間無く連結される。
【００６７】
図１に示すように、第１の破風カバー３４に隣接する太陽光モジュール４６と、第２の破風カバー３６に隣接する太陽光モジュール４６との間には、複数枚の太陽光モジュール４６が桁方向に沿って配置されているが、これら複数枚の太陽光モジュール４６は、互いに桁方向に隣接する一方の太陽光モジュール４６の溝５０Ｂと他方の太陽光モジュール４６のリブ５０Ａとが嵌合されることで、桁方向に互いに隙間無く連結されている（但し、後述するトップライトモジュール５４、及びルーバーモジュール５６が配置される領域を除く）。
【００６８】
さらに、棟部材３７と仕切り部材４０との間では、太陽光モジュール４６と棟部材３７との間、太陽光モジュール４６とその上側または下側に隣接する他の太陽光モジュール４６との間、及び太陽光モジュール４６と仕切り部材４０との間で、夫々隙間が生じないように太陽光モジュール４６が配置されている（但し、後述するトップライトモジュール５４、及びルーバーモジュール５６が配置される領域を除く）。    
【００６９】
なお、第１の破風カバー３４と第２の破風カバー３６との間隔は、太陽光モジュール４６の横寸法Ａ１の整数倍の寸法に設定され、棟部材３７と仕切り部材４０との間隔は太陽光モジュール４６の縦寸法Ｂ１の整数倍に設定されている。
【００７０】
図３に示すように、太陽光モジュール４６は、隣接する他の太陽光モジュール４６と通電（図２参照）を行うための第１電極（＋極、−極）４７Ａ、及び第２電極（＋極、−極）４７Ｂを、リブ４４及び溝４２に備えている。これら第１電極４７Ａ、及び第２電極４７Ｂは、配線５１を介して太陽電池パネル５２に接続されている。したがって、桁方向に隣接する一方の太陽光モジュール４６のリブ４４と他方の太陽光モジュール４６の溝４２とを嵌合することで、一方の太陽光モジュール４６の第１電極４７Ａと他方の太陽光モジュール４６の第２電極４７Ｂとが接触して一方の太陽光モジュール４６と他方の太陽光モジュール４６との通電が可能となる。
これにより、横一列の太陽光モジュール４６が電気的に接続されることになる。
【００７１】
次に、図２に基いて本実施形態の電気系を説明する。なお、図２に記載されている電気系のブロック図は模式的なものである。
例えば、上カバー部３４Ａの内部には、長手方向に沿って配線４５が設けられており、配線４５の一端側は、第１の破風カバー３４の上端と第２の破風カバー３６の上端とを連結する棟部材３７の内部を介して棟部材３７の長手方向中間部から屋内（例えば、屋根裏、小屋裏空間）へ延びている。
【００７２】
上カバー部３４Ａに隣接している太陽光モジュール４６と、上カバー部３４Ａの内部に配置されている配線４５とは、図示しないコネクタ（オス、メス）で電気的に接続されている。
配線４５の一端は、屋内に配置されたジョイントボックス５３に接続されている。なお、ジョイントボックス５３は、配線５５を介して後述する制御装置７６に接続されている。
したがって、太陽光モジュール４６で発電された電気は、上カバー部３４Ａの配線４５、棟部材３７の配線４５、棟部材３７の中間部から屋内へ延びる配線４５を介して制御装置７６に供給される。
【００７３】
ここでは、配線４５と太陽光モジュール４６とをコネクタで接続したが、他の方法で接続しても良い。例えば、図示は省略するが、第１の破風カバー３４の溝４２には太陽光モジュール４６の第１電極４７Ａと接触する第２電極４７Ｂを設け、第１の破風カバー３４の第２電極４７Ｂに配線４５を接続する。太陽光モジュール４６を第１の破風カバー３４に連結することで、第１電極４７Ａと第２電極４７Ｂとが接触して太陽光モジュール４６と配線４５とが電気的に接続されることになり、コネクタを接続する手間が無くなる。
なお、第２の破風カバー３６のリブ４４に、太陽光モジュール４６の第２電極４７Ｂと接触する第１電極４７Ａを設け、第１電極４７Ａに配線４５を接続しても良い。
また、本実施形態では、太陽光モジュール同士を第１電極４７Ａと第２電極４７Ｂとで電気的に接続したが、コネクタを用いて太陽光モジュール同士を電気的に接続しても良い。
【００７４】
（トップライトモジュール、ルーバーモジュール）
図１、及び図４に示すように、本実施形態の建物１０では、屋根１２の２個所に、室内に採光を行うために、トップライトモジュール５４が野地板２８を貫通して取り付けられている。
トップライトモジュール５４は、その縦寸法Ｂ２（図４参照）が太陽光モジュール４６の縦寸法Ｂ１の１乃至整数倍、その横寸法が太陽光モジュール４６の横寸法Ａ１の１乃至整数倍に設定されるものである。本実施形態のトップライトモジュール５４は、その縦寸法Ｂ２が太陽光モジュール４６の縦寸法Ｂ１の２倍、その横寸法が太陽光モジュール４６の横寸法Ａ１の２倍に設定されている。
【００７５】
このトップライトモジュール５４は、太陽光を透過するガラス、ガラスを嵌めこむサッシ部等からなる一般的な構造であるが、上述した様に、その縦横寸法が太陽光モジュール４６の縦横寸法の１乃至整数倍に設定されている点が従来と異なっている。  
【００７６】
トップライトモジュール５４の上側には、図５に示すようなルーバーモジュール５６が配置されている。
ルーバーモジュール５６は、矩形の枠フレーム５８を備えており、枠内には、桁方向に沿って延びる複数枚のトップライトルーバー６０が互いに平行に配置されている。これらトップライトルーバー６０は、枠フレーム５８に回動可能に支持されており、かつ各々が同一方向に向くように図示しないリンク機構で互いに連結されている。なお、本実施形態のルーバーモジュール５６は、枠フレーム５８の内部にリンク機構を動かすモーター５６Ａ（図７参照）を備え、モーター５６Ａを駆動することでトップライトルーバー６０の向きを変更可能としている。
【００７７】
枠フレーム５８の一方側の側部には、リブ５８Ａが形成されており、他方側の側部にはリブ５８Ａと嵌合可能な溝５８Ｂが形成されている。このリブ５８Ａは太陽光モジュール４６の溝５０Ｂと嵌合可能に形成され、溝５８Ｂは太陽光モジュール４６のリブ５０Ａと嵌合可能に形成されている。
【００７８】
ルーバーモジュール５６の縦寸法Ｂ３、及びリブ５８Ａを除く横寸法Ａ３は、トップライトモジュール５４の縦寸法、及び横寸法と同一に設定されている。
このルーバーモジュール５６は、リブ５８Ａが一方側に隣接している太陽光モジュール４６の溝５０Ｂと嵌合し、溝５８Ｂが他方側に隣接している太陽光モジュール４６のリブ５０Ａと嵌合しており、ルーバーモジュール５６と太陽光モジュール４６とは、桁方向に隙間無く連結されている。
【００７９】
また、ルーバーモジュール５６は、屋根傾斜方向上側に隣接する太陽光モジュール４６、及び屋根傾斜方向下側に隣接する太陽光モジュール４６に対して、隙間無く接触している。
本実施形態のルーバーモジュール５６は、その高さ寸法Ｃ３が太陽光モジュール４６の高さ寸法Ｃ１と同一に設定されているが、異なっていても良い。
【００８０】
なお、ルーバーモジュール５６は、隣接する他のルーバーモジュール５６、及び太陽光モジュール４６と通電を行うための第１電極（＋極、−極）４７Ａ、及び第２電極（＋極、−極）４７Ｂを、５８Ａ及び溝５８Ｂに備えている。
【００８１】
（軒）
図１、及び図４に示すように、南側（矢印Ｓ方向側）の軒３９では、外壁６２よりも外側（桁側）へ突出している第１の破風カバー３４と第２の破風カバー３６との間に、平面視で矩形状とされた軒モジュール６４が２個配置されている。
【００８２】
図６に示すように、本実施形態の軒モジュール６４は、平面視でコ字形状とされた枠フレーム６６を備え、枠内に複数枚の軒ルーバー６８が互いに平行に配置されている。これら軒ルーバー６８は、枠フレーム６６に回動可能に支持されており、かつ各々が同一方向を向くように図示しないリンク機構で互いに連結されている。なお、本実施形態の軒モジュール６４は、枠フレーム６６の内部にリンク機構を動かすモーター６４Ａを備え、モーター６４Ａを駆動することで軒ルーバー６８の向きを変更可能としている。
【００８３】
枠フレーム６６の一方側の側部にはリブ６６Ａが形成されており、他方側の側部にはリブ６６Ａと嵌合する溝６６Ｂが形成されている。また、この枠フレーム６６のリブ６６Ａは、第１の破風カバー３４の溝４２と係合可能であり、枠フレーム６６の溝６６Ｂは、第２の破風カバー３６のリブ４４と係合可能である。
【００８４】
本実施形態では、一方側の軒モジュール６４と第１の破風カバー３４との間、一方側の軒モジュール６４と他方側の軒モジュール６４との間、及び他方側の軒モジュール６４と第２の破風カバー３６との間に隙間が生じないように、一方側の軒モジュール６４のリブ６６Ａが第１の破風カバー３４の溝４２と係合し、他方の軒モジュール６４の溝６６Ｂが第２の破風カバー３６のリブ４４と係合し、一方の軒モジュール６４の溝６６Ｂが他方の軒モジュール６４のリブ６６Ａと係合している。
【００８５】
軒モジュール６４は、リブ６６Ａを除く横寸法Ａ４が太陽光モジュール４６の横寸法Ａ１の１乃至整数倍に設定され、縦寸法Ｂ４が太陽光モジュール４６の縦寸法Ｂ１の１乃至整数倍に設定されるものである。なお、本実施形態の軒モジュール６４は、その横寸法Ａ４が太陽光モジュール４６の横寸法Ａ１の４倍に設定され、その縦寸法Ｂ４が太陽光モジュール４６の縦寸法Ｂ４の２倍に設定されている。なお、軒モジュール６４の高さ寸法Ｃ４は、上カバー部３４Ａ及び上カバー部３６Ａの高さ寸法Ｅ（図４参照）と同一に設定されている。
【００８６】
なお、第１の破風カバー３４及び第２の破風カバー３６の、仕切り部材４０から軒先側へ突出している部分の突出寸法は、軒モジュール６４の縦寸法Ｂ４と同一に設定されており、軒モジュール６４は仕切り部材４０に密着して配置されているので、軒モジュール６４の側部は、第１の破風カバー３４及び第２の破風カバー３６によって完全に覆い隠されている。
【００８７】
図１、及び図４に示すように、軒先には、垂木９０の下端側で桁方向に延びる鼻隠し材９２に軒樋７０が取り付けられている。軒樋７０は軒モジュール６４の斜め下方に位置しており、閉じた軒ルーバー６８の上面を伝わって落下する雨水が流入するようになっている。
また、南側の外壁６２には、サッシ７２が設けられており、軒下にはテラス７４が設けられている。
なお、北側の軒３９では、軒ルーバー６８を有する軒モジュール６４は必要ないので、軒ルーバー６８の無い平板状に形成された軒モジュールが取り付けられている。
【００８８】
また、建物１０の屋内には、図７に示す制御装置７６が設けられている。
制御装置７６には、太陽光モジュール４６、ルーバーモジュール５６のモーター５６Ａ、軒モジュール６４のモーター６４Ａ、蓄電池７８、日射量センサ８０、室温センサ８２、雨滴センサ８３、商用電源８４、商用電源８４からの交流電力が出力される交流コンセント８６、自動車のバッテリーを充電するための直流電力が出力される直流コンセント８８等が接続されている。
【００８９】
なお、太陽光モジュール４６で発電された直流の電力は、第１の破風カバー３４の内部に配置された配線４５等を介して制御装置７６に送られてインバーター（図示省略）によって交流の電力に変換され、交流コンセント８６から取り出すことができる。また、蓄電池７８の直流電力もインバーターによって交流の電力に変換して、交流コンセント８６から取り出すことができる。
【００９０】
さらに、制御装置７６は、太陽光モジュール４６で発電された直流の電力、及び商用の交流電力をコンバーター（図示省略）で直流に変換して蓄電池７８に充電することができる。なお、蓄電池７８に貯められた直流の電力、及び太陽光モジュール４６で発電された直流の電力は、直流コンセント８８から取り出すことができる。
【００９１】
また、制御装置７６は、日射量センサ８０で検出された日射量、室温センサ８２で検出された室温等に基いて、ルーバーモジュール５６のモーター５６Ａ、及び軒モジュール６４のモーター６４Ａを駆動し、トップライトルーバー６０の向き、及び軒ルーバー６８の向きを変更することができる。
さらに、制御装置７６は、雨滴センサ８３で雨滴を検出した際に、軒モジュール６４のモーター６４Ａを駆動し、軒ルーバー６８を閉じる（軒ルーバー６８同士を重ね合わせる）ことができる。
【００９２】
なお、棟部材３７の上面、太陽光モジュール４６の上面、第１の破風カバー３４の上面、第２の破風カバー３６の上面、ルーバーモジュール５６の枠フレーム５８の上面、仕切り部材４０の上面、軒モジュール６４の枠フレーム６６の上面は、全て同一平面状に位置している。
【００９３】
（作用）
次に、本実施形態の作用を説明する。
本発明の屋根構造が適用された屋根１２を備えた本実施形態の建物１０では、建物１０で使用する電力の少なくとも一部を太陽光モジュール４６によって発電された電力で賄う事ができ、省エネを図ることができる。
【００９４】
本実施形態の太陽光モジュール４６は、一方側の側部に第１の破風カバー３４の溝４２に係合可能なリブ５０Ａを有しているので、第１の破風カバー３４の溝４２に太陽光モジュール４６のリブ５０Ａを嵌合することで、第１の破風カバー３４側で太陽光モジュール４６の位置決めをすることができ、これにより、第１の破風カバー３４に対して太陽光モジュール４６を隙間無く連結することができている。
【００９５】
また、本実施形態の太陽光モジュール４６は、他方側の側部に第２の破風カバー３６のリブ４４に係合可能な溝５０Ｂを有しているので、第２の破風カバー３６のリブ４４に太陽光モジュール４６の溝５０Ｂを嵌合することで、第２の破風カバー３６側で太陽光モジュール４６の位置決めをすることができ、これにより、第２の破風カバー３６に対して太陽光モジュール４６を隙間無く連結することができる。
【００９６】
そして、第１の破風カバー３４と第２の破風カバー３６との間隔を太陽光モジュール４６の横寸法Ａ１の整数倍の寸法に設定し、棟部材３７と仕切り部材４０との間隔を太陽光モジュール４６の縦寸法Ｂ１の整数倍に設定した枠４９内に、太陽光モジュール４６、及び太陽光モジュール４６の１乃至整数倍の縦横寸法を有するルーバーモジュール５６を連結して配置したので、モジュール間にも隙間が形成されず、太陽光モジュール４６の側部も第１の破風カバー３４、第２の破風カバー３６、棟部材３７、及び仕切り部材４０で覆い隠されており、軒３９においても、軒モジュール６４が第１の破風カバー３４、第２の破風カバー３６、及び仕切り部材４０に密着して配置され、その側部が仕切り部材４０、第１の破風カバー３４及び第２の破風カバー３６によって完全に覆い隠されているので、屋根１２は高い意匠性を有しているものとなる。
【００９７】
なお、軒３９を構成している軒モジュール６４には、角度を変更可能な軒ルーバー６８が設けられているため、軒ルーバー６８の角度を変更することで、室内に太陽光を取り入れたり、室内に太陽光を取り入れないようにしたり、雨天時にルーバーを閉じて軒下に雨水が落下しないようにできる。
【００９８】
例えば、夏季等の暑い日では、制御装置７６は、日射量センサ８０で検出された日射量に基いて制御装置７６はモーター６４Ａを駆動し、図８（Ａ）に示すように、室内に太陽光が入らないように軒ルーバー６８の角度を変更する（軒ルーバー６８同士を重ね合わせる、または太陽光に対して直角にする）ことができる。これにより、太陽光によって室内の床等が暖められることが無くなるので、冷房に必要とされるエネルギーを軽減でき、省エネとなる。
また、制御装置７６は、夏季等の暑い日では、室温センサ８２で検出された室温等に基いてモーター６４Ａを駆動し、図８（Ａ）に示すように、室内に太陽光が入らないように軒ルーバー６８の角度を変更することができる。太陽光によって室内の床等が暖められることが無くなるので、冷房に必要とされるエネルギーを軽減でき、省エネとなる。
なお、制御装置７６は、日射量センサ８０と室温センサ８２とを同時に用い、日射量と室温の両方に基いて室内に太陽光が入らないように軒ルーバー６８の角度を変更することもできる。
【００９９】
一方、冬季等の寒い日では、制御装置７６は、例えば、日射量センサ８０で検出された日射量に基いてモーター６４Ａを駆動し、図８（Ｂ）に示すように、室内に太陽光を取り入れるように軒ルーバー６８の角度を変更（例えば、太陽光に対して平行にする）することができる。これにより、太陽光によって室内の床等を暖めることが可能となり、暖房に必要とされるエネルギーを軽減でき、省エネとなる。
また、制御装置７６は、冬季等の寒い日において、室温センサ８２で検出された室温に基いてモーター６４Ａを駆動し、図８（Ｂ）に示すように、室内に太陽光を取り入れるように軒ルーバー６８の角度を変更（例えば、太陽光に対して平行にする）することができる。これによって、太陽光によって室内の床等を暖めることが可能となり、暖房に必要とされるエネルギーを軽減でき、省エネとなる。
なお、制御装置７６は、日射量センサ８０と室温センサ８２とを同時に用い、日射量と室温の両方に基いて室内に太陽光を取り入れるように軒ルーバー６８の角度を変更することもできる。
【０１００】
さらに、制御装置７６は、日射量センサ８０で検出された日射量に基いて、ルーバーモジュール５６のモーター５６Ａを駆動し、冬季等では室内に太陽光を取り入れるようにトップライトルーバー６０の向きを変更して省エネを図り、夏季等では、室内に太陽光が入り込まないようにトップライトルーバー６０の向きを変更して省エネを図ることができる。
また、制御装置７６は、室温センサ８２で検出された室温等に基いて、制御装置７６はルーバーモジュール５６のモーター５６Ａを駆動し、冬季等では室内に太陽光を取り入れるようにトップライトルーバー６０の向きを変更して省エネを図り、夏季等では、室内に太陽光が入り込まないようにトップライトルーバー６０の向きを変更して省エネを図ることができる。
なお、制御装置７６は、日射量センサ８０と室温センサ８２とを同時に用い、日射量と室温の両方に基いて室内に太陽光を取り入れるようにトップライトルーバー６０の角度を変更したり、室内に太陽光が入り込まないようにトップライトルーバー６０の角度を変更することもできる。
【０１０１】
また、制御装置７６は、雨滴センサ８３で雨滴を検出した際に、軒モジュール６４のモーター６４Ａを駆動し、軒ルーバー６８を閉じる（図４参照。軒ルーバー６８の軒先側端部が下方となるように傾斜させる。）。これにより、太陽光モジュール４６の上面を流れてきた雨水は、軒ルーバー６８の上面を流れて軒樋７０へ落下して排水されるので、軒下のテラス７４に雨水を落下させることが無く、例えば、テラス７４の洗濯物が雨水で濡れることを防止できる。
【０１０２】
本実施形態では、太陽光モジュール４６で発電された電力を輸送するための配線４５が第１の破風カバー３４の内部に通されて、太陽光、雨水等から守られているので、配線４５の劣化を抑えることができる。また、第１の破風カバー３４の内部に配線４５を通しているので、第１の破風カバー３４に隣接する太陽光モジュール４６と該配線４５とが最短距離で接続されている。
【０１０３】
なお、直流コンセント８８は、例えば、図４に示すように屋外の軒３９に設けたり、軒３９の下方の外壁６２等に設けることができる。この直流コンセント８８からは、直流電力が得られるので、例えば、自動車のバッテリーを充電する際に用いることができる。屋外に設ける場合、直流コンセント８８は防水仕様とすることが好ましい。
【０１０４】
本実施形態では、トップライトモジュール５４、及びルーバーモジュール５６の縦寸法及び横寸法を、太陽光モジュール４６の縦寸法及び横寸法の１乃至整数倍としているので、屋根サイズやトップライトの位置の変更が容易であり、種々のプランに容易に対応可能である。
【０１０５】
［その他の実施形態］
上記実施形態では、軒ルーバー６８、及びトップライトルーバー６０の向きを、日射量や室温に基いて制御装置７６が自動で変更したが、制御装置７６に接続された操作スイッチ（図示せず）を操作して居住者が手動で変更することもできる。
第１の破風カバー３４、及び第２の破風カバー３６は、上記実施形態の形状に限らず、本発明を逸脱しない範囲で種々の変更が可能である。
例えば、図９に示すように、上カバー部３４Ａの幅方向両端部、及び上カバー部３６Ａの幅方向両端部に、各々上方に延びる縦壁９４を形成し、上カバー部３４Ａの上部、及び上カバー部３６Ａの上部を、雨水を流下させる溝形状の雨水経路９８とすることもできる。なお、上カバー部３４Ａの上部、及び上カバー部３６Ａの雨水経路９８を流下した雨水は、各カバーの妻側へ落下する事無く軒樋７０に排水される。
【０１０６】
また、軒３９も上記実施形態の構造に限らず、本発明を逸脱しない範囲で種々の変更が可能である。
例えば、図１０に示すように、第１の破風カバー３４の上カバー部３４Ａの下端と、第２の破風カバー３６の上カバー部３６Ａの下端とを仕切り部材４０と平行に設けられる軒先材９６で連結し、軒モジュール６４の軒先側の端部を軒先材９６で隠すようにしても良い。これにより、軒先側の軒ルーバー６８が軒モジュール６４で隠れ、屋根１２の意匠性を更に向上することができる。
なお、図１１に示すように、鼻隠し材９２と軒先材９６との間には、軒ルーバー６８から落下した雨水を軒樋７０に排水するための隙間が形成されている。
【０１０７】
上記実施形態では、軒３９に軒モジュール６４を設けたが、軒モジュール６４に代えて太陽光モジュール４６を設けることもできる。
【０１０８】
上記実施形態の建物１０の屋根１２は、切妻屋根であったが、本発明は切妻屋根に限らず、片流れ屋根、陸屋根等、他の種類の屋根にも適用可能である。
【０１０９】
上記実施形態では、日射量や室温に基いて軒ルーバー６８、及びトップライトルーバー６０の向きを変更したが、制御装置７６に、カレンダー、建物１０の設置されている地域の太陽の角度（日ごとの）等を記憶しておき、季節や太陽の角度に基いて、軒ルーバー６８、及びトップライトルーバー６０の向きを自動で変更することもできる。
【符号の説明】
【０１１０】
１０    建物
１２    屋根
３４    第１の破風カバー（化粧部材）
３４Ａ  上カバー部（配線通路）
３４Ｂ  下カバー部（配線通路）
３６    第２の破風カバー（化粧部材）
３６Ａ  上カバー部（配線通路）
３６Ｂ  下カバー部（配線通路）
３７    棟部材
３９    軒
４０    仕切り部材
４２    溝（位置決め部、第１の係合部）
４４    リブ（位置決め部、第１の被係合部）
４５    配線
４６    太陽光モジュール
４９    枠（枠部）
５０Ａ  リブ（第２の被係合部）
５０Ｂ  溝（第２の係合部）
５４    トップライトモジュール
５６    ルーバーモジュール
５６Ａ  モーター（第２駆動手段）
５４    トップライトモジュール
５６    ルーバーモジュール
５６Ａ  モーター（第２駆動手段）
５８Ａ  リブ（第４の被係合部）
５８Ｂ  溝（第４の係合部）
６０    トップライトルーバー
６２    外壁
６４    軒モジュール
６４Ａ  モーター（第１駆動手段）
６６Ａ  リブ（第３の被係合部）
６６Ｂ  溝（第３の係合部）
６８    軒ルーバー
７６    制御装置（第１駆動手段、第２駆動手段）
８０    日射量センサ
８３    雨滴センサ
８８    直流コンセント（給電部）
９６    軒先材
９８    雨水経路
【図１】
0005683844.tif 000002
【図２】
0005683844.tif 000003
【図３】
0005683844.tif 000004
【図４】
0005683844.tif 000005
【図５】
0005683844.tif 000006
【図６】
0005683844.tif 000007
【図７】
0005683844.tif 000008
【図８】
0005683844.tif 000009
【図９】
0005683844.tif 000010
【図１０】
0005683844.tif 000011
【図１１】
0005683844.tif 000012